(57)【要約】  【課題】  成形されたプロテクタを金型から押出ピンにより取り出す際に発生するバリに電線群が接触しないようにして、電線群の損傷を防止する。  【解決手段】  自動車に配索する電線群ｗを貫通させる断面コ型の本体１１を有するプロテクタ１０で、本体１１は、凹部１ａを設けた金型の可動型１と、該凹部１ａ内に挿入される凸部２ａを設けた金型の固定型２とで形成されるキャビテイ３に樹脂を充填して成形され、可動型１を離型した後に、固定型２より押出ピン４を、成形された本体１１の底壁内面１１ａ−１に押し当てて該固定型２より本体１１を取り出しているものであって、押出ピン４が押し当てられる接触部位１１ａ−２を挟む位置に凸部１３を底壁内面１１ａ−１より突出させており、該底壁内面１１ａ−１に沿って挿通させる電線群ｗが、押出ピン４との接触部位の周囲に発生するバリ２０に接触しないように凸部１３により押し上げる構成としている。  【選択図】図３
2005073387.tif 000002
【特許請求の範囲】
【請求項１】
自動車に配索する電線群を貫通させる断面コ型の本体を有するプロテクタで、
上記本体は、凹部を設けた金型の可動型と、該凹部内に挿入される凸部を設けた金型の固定型とで形成されるキャビテイに樹脂を充填して成形され、上記可動型を離型した後に、上記固定型より押出ピンを、成形された上記本体の底壁内面に押し当てて該固定型より本体を取り出しているものであって、
上記押出ピンが押し当てられる接触部位を挟む位置に凸部を上記底壁内面より突出させており、該底壁内面に沿って挿通させる電線群が、上記押出ピンとの接触部位の周囲に発生するバリに接触しないように上記凸部により押し上げる構成としていることを特徴とするプロテクタ。
【請求項２】
上記底壁内面の全体に、上記凸部を電線挿通方向と直交方向に一定間隔で突出させ、これら凸部の上面に沿って上記電線群を挿通させる構成としている請求項１に記載のプロテクタ。
【発明の詳細な説明】
【技術分野】
【０００１】
本発明は、プロテクタに関し、詳しくは、自動車に配索されるワイヤハーネスに外装する樹脂成形品からなり、成形時に金型から押出ピンによりプロテクタを取り出す際に発生するバリに電線群が接触しないようにするものである。
【背景技術】
【０００２】
この種の射出成形されるプロテクタにおいて、図４（Ａ）に示すように、凹部１ａを設けた金型の可動型１と、該凹部１ａ内に挿入される凸部２ａを設けた金型の固定型２とで形成されるキャビテイ３に樹脂を充填し、可動型１を離型した後に、固定型２より押出ピン４を、成形されたプロテクタ５の内面に押し当てて固定型２よりプロテクタ５を取り出す場合がある。
上記のように可動型を凹型とし、固定型を凸型としているのは、プロテクタ５の外面の平滑度を上げて、取付箇所に安定して取り付けるためである。
【０００３】
図４（Ｂ）に示すように、プロテクタ５の底壁内面５ａを押出ピン４により押し出してプロテクタ５を固定型２より取り出す場合、プロテクタ５はまだ硬化されていないため、押出ピン４が接触する面にピン跡が若干残ると共に、プロテクタ５から押出ピン４を引き離す際に、押出ピン４が接触して押された樹脂部の周囲にバリ６となって突出する。底壁内面５ａにバリ６が発生したプロテクタ５に電線群ｗを収容すると、図４（Ｃ）に示すように、電線群ｗが先端の尖ったバリ６に接触し損傷を受ける恐れがある。そこで、プロテクタを成形した後、バリを処理することも考えられるが、該バリはプロテクタの底壁内面に形成されているため、処理作業が容易でない問題がある。
【０００４】
また、上記バリに限らず、図５に示すように、プロテクタ７に治具８を挿入するための貫通孔７ａをプロテクタ７の内方へ突出する円ボス状に形成する場合も同様、プロテクタ７内に収容する電線群に上記円ボスが接触して電線群を損傷させてしまうおそれがある（特開平８−１３０８１４号参照）。
【特許文献１】特開平８−１３０８１４号公報
【発明の開示】
【発明が解決しようとする課題】
【０００５】
本発明は上記問題に鑑みてなされたものであり、成形されたプロテクタを金型から押出ピンにより取り出す際に発生するバリに電線群が接触しないようにして、電線群の損傷を防止することを課題としている。
【課題を解決するための手段】
【０００６】
上記課題を解決するため、本発明は、自動車に配索する電線群を貫通させる断面コ型の本体を有するプロテクタで、
上記本体は、凹部を設けた金型の可動型と、該凹部内に挿入される凸部を設けた金型の固定型とで形成されるキャビテイに樹脂を充填して成形され、上記可動型を離型した後に、上記固定型より押出ピンを、成形された上記本体の底壁内面に押し当てて該固定型より本体を取り出しているものであって、
上記押出ピンが押し当てられる接触部位を挟む位置に凸部を上記底壁内面より突出させており、該底壁内面に沿って挿通させる電線群が、上記押出ピンとの接触部位の周囲に発生するバリに接触しないように上記凸部により押し上げる構成としていることを特徴とするプロテクタを提供している。
【０００７】
上記構成とすると、プロテクタの本体を金型から取り出す際に押出ピンにより底壁内面にバリが発生するが、該バリを挟む位置に設けられた凸部によりバリ上を挿通する箇所の電線群が押し上げられ、電線群がバリに接触するのを防いで、電線群の損傷を防止することができる。
上記バリと凸部とはできる限り近接させておくことが好ましく、バリと凸部とを近接させておくと、バリ上を挿通する箇所の電線群を確実に押し上げることができる。
【０００８】
上記底壁内面の全体に、上記凸部を電線挿通方向と直交方向に一定間隔で突出させ、これら凸部の上面に沿って上記電線群を挿通させる構成としていることが好ましい。
上記構成とすると、プロテクタの本体内に挿通させる電線群全体を上記凸部により押し上げて、電線群を上下方向に屈曲させることなく直線状にできるため、バリ上を挿通する箇所の電線群を確実に押し上げて電線群がバリに接触するのを防止することができる。
径の異なる複数の押出ピンをプロテクタ本体に押し当てて金型から取り出す場合、一定間隔で設けた凸部の間隔は最大径の押出ピンの径よりも大としている。
【発明の効果】
【０００９】
以上の説明より明らかなように、本発明によれば、プロテクタの本体の底壁内面に、該本体を金型から押し出す押出ピンにより発生したバリを挟む位置に凸部が設けられているため、該凸部によりバリ上を挿通する箇所の電線群を押し上げることができ、電線群がバリに接触するのを防いで、電線群の損傷を防止することができる。
【発明を実施するための最良の形態】
【００１０】
本発明の実施形態を図面を参照して説明する。
図１乃至図３は、本発明の実施形態を示し、本実施形態のプロテクタ本体１１は前記図４（Ａ）に示すように、射出成形により成形されるものであり、凹部１ａを設けた金型の可動型１と、該凹部１ａ内に挿入される凸部２ａを設けた金型の固定型２とで形成されるキャビテイ３に樹脂を充填し、可動型１を離型した後に、固定型２より押出ピン４を、成形されたプロテクタ本体１１の底壁１１ａの内面１１ａ−１に押し当てて固定型２よりプロテクタ本体１１を取り出している。よって、プロテクタ本体１１の底壁１１ａの内面１１ａ−１には押出ピン４との接触部位１１ａ−２の周囲にバリ２０が発生している。
【００１１】
プロテクタ１０は上記方法により成形されたプロテクタ本体１１と蓋１２とをロック結合して形成される。
プロテクタ本体１１は、図１に示すように、底壁１１ａと該底壁１１ａの両端から突出する両側壁１１ｂとからなる断面コ型の上面開口としており、プロテクタ本体１１に電線群ｗを貫通させた後、プロテクタ本体１１と蓋１２とをロック結合して、プロテクタ本体１１の上面開口を閉鎖している。
【００１２】
上記のように、プロテクタ本体１１の底壁１１ａの内面１１ａ−１には、押出ピン４によりバリ２０が発生しており、該バリ２０の高さＨ１は、プロテクタ本体１１を金型から取り外す時の硬化具合により、およそ０．１〜０．２ｍｍである。
また、プロテクタ本体１１の底壁１１ａの内面１１ａ−１の全体に、電線挿通方向と直交方向に一定間隔で凸部１３を突出させている。該凸部１３の間隔Ｌ１は押出ピン４の径よりも大とし、バリ２０を挟む位置に凸部１３が形成されるようにしている。また、凸部１３は、電線挿通方向と直交方向で、かつ、両側壁１１ｂ間に亙って延在させており、その高さＨ２はバリ２０の高さＨ１よりも高く、本実施形態では０．５ｍｍとしている。
【００１３】
上記構成のプロテクタ本体１１に電線群ｗを挿通すると、図３に示すように、電線群ｗが凸部１３により押し上げられて、電線群ｗをバリ２０に接触させないようにすることができ、電線群ｗが先端の尖ったバリ２０と接触することにより生じる電線群ｗの損傷を防止することができる。
なお、上記凸部は、プロテクタ本体の底壁内面全体に設ける必要はなく、少なくともバリを挟む位置に設けておけばよい。
【図面の簡単な説明】
【００１４】
【図１】本発明の実施形態のプロテクタの分解斜視図である。
【図２】Ｉ−Ｉ線の要部拡大断面図である。
【図３】プロテクタ本体に電線群を挿通した状態を示す図面である。
【図４】（Ａ）（Ｂ）はプロテクタの成形方法を示す図面、（Ｃ）は従来例の問題点を示す図面である。
【図５】他の従来例を示す図面である。
【符号の説明】
【００１５】
１  可動型
２  固定型
３  キャビテイ
４  押出ピン
１０  プロテクタ
１１  プロテクタ本体
１１ａ  底壁
１１ａ−１  底壁内面
１１ｂ  両側壁
１２  蓋
１３  凸部
２０  バリ
ｗ  電線群
【図１】
2005073387.tif 000003
【図２】
2005073387.tif 000004
【図３】
2005073387.tif 000005
【図４】
2005073387.tif 000006
【図５】
2005073387.tif 000007